(57)【要約】【課題】印刷回路基板にストレスを与えないようにすることで安定した品質を付与することができるジャンクションブロックを提供すること。【解決手段】印刷回路基板１１と、ヒューズブロック１２と、コネクタブロック１３，１４と、を備え、印刷回路基板１１とヒューズブロック１２とコネクタブロック１３，１４との組体２７に剛性を付与するためのインナーカバー１５を備え、インナーカバー１５と、ヒューズブロック１２及びコネクタブロック１３，１４とに、相互を固定するための固定手段２３，２４、２５，２６，３１，３２，３３，３４備え、固定手段２３，２４，２５，２５，２６，３１，３２，３３，３４を介して、ヒューズブロック１２とコネクタブロック１３，１４とをインナーカバー１５に固定したジャンクションブロック１０。【選択図】図１
2007295755.tif 000002
【特許請求の範囲】
【請求項１】
分配配索回路が形成された印刷回路基板と、該印刷回路基板の該分配配索回路に電気的に接続された複数のヒューズを装着し該印刷回路基板に固定されたヒューズブロックと、前記印刷回路基板の前記分配配索回路に電気的に接続されたコネクタ端子を支持し前記印刷回路基板に固定されたコネクタブロックと、を備えたジャンクションブロックであって、
前記印刷回路基板と前記ヒューズブロックと前記コネクタブロックとの組体に剛性を付与するためのインナーカバーを備え、
前記インナーカバーと、前記ヒューズブロック及び前記コネクタブロックとに、相互を固定するための固定手段を備え、
前記固定手段を介して、前記ヒューズブロックと前記コネクタブロックとを前記インナーカバーに固定したことを特徴とするジャンクションブロック。
【請求項２】
前記固定手段が、Ｔ字形状またはＬ字形状の突起と、該突起に相似する孔と、からなるスライド係合部であることを特徴とする請求項１に記載したジャンクションブロック。
【請求項３】
前記インナーカバーが、前記印刷回路基板に平行に配置された板部を備えており、前記固定手段が該板部の外縁部に配置されていることを特徴とする請求項１または請求項２に記載したジャンクションブロック。
【発明の詳細な説明】
【技術分野】
【０００１】
本発明は、電源回路をコントローラ等の負荷回路に一括的に接続及び分配するジャンクションブロックに関する。
【背景技術】
【０００２】
従来のジャンクションブロックの一例として、上カバーと中間カバーと下カバーとの間に電気部品を収容したものが知られている（例えば、特許文献１参照）。
【０００３】
図８に示すように、上記特許文献１は、ジャンクションブロック１００が、合成樹脂製の上カバー１０１と中間カバー１０２と下カバー１０３とで成る箱形状の接続箱本体内に、配線板１０４、バスバー回路板１０５、印刷回路基板１０６、コネクタ１０７，１０８、ヒューズ装着部１０９、リレー装着部１１０を収容している。
【０００４】
配線板１０４は、絶縁基板上に複数の電線１１１を配索しつつＬ型端子１１２の一方の圧接部に接続されている。Ｌ型端子１１２の他方のタブ状接触部はコネクタハウジング内に突出してコネクタ１０７を構成している。
【０００５】
バスバー回路板１０５は、絶縁基板上に複数のバスバー１１３を配索しており、バスバー１１３の端子部がヒューズ装着部１０９内に位置している。印刷回路基板１０６は、絶縁基板上に所要形状のプリント回路を有し、印刷回路基板と配線板１０４とは、長尺端子１１４で接続されている。印刷回路基板１０６に接続されたＬ字状の端子１１５がコネクタ１０８内に突出している。コネクタ１０７，１０８やヒューズ装着部１０９は、中間カバー１０２から外側に突出している。印刷回路基板１０６は、取付板１１６やねじ１１７で中間カバー１０２や下カバー１０３に固定されている。
【０００６】
【特許文献１】特開平１１−０２７８２９号公報（第３頁、図２）
【発明の開示】
【発明が解決しようとする課題】
【０００７】
ところが、上記特許文献１は、絶縁基板上に複数のバスバー１１３を配索した構造であるが、剛体であるバスバー１１３を他の機能で満たすことで省略するようにした場合、印刷回路基板１０６の剛性が低くなり、印刷回路基板１０６に曲げ応力等のストレスがかかった際に、印刷回路基板１０６上のプリント回路が断線したり、印刷回路基板１０６が折損したりする虞がある。
【０００８】
本発明は、上述した事情に鑑みてなされたものであり、その目的は、印刷回路基板にストレスを与えないようにすることで安定した品質を付与することができるジャンクションブロックを提供することにある。
【課題を解決するための手段】
【０００９】
１）本発明に係るジャンクションブロックは、分配配索回路が形成された印刷回路基板と、該印刷回路基板の該分配配索回路に電気的に接続された複数のヒューズを装着し該印刷回路基板に固定されたヒューズブロックと、前記印刷回路基板の前記分配配索回路に電気的に接続されたコネクタ端子を支持し前記印刷回路基板に固定されたコネクタブロックと、を備えたジャンクションブロックであって、前記印刷回路基板と前記ヒューズブロックと前記コネクタブロックとの組体に剛性を付与するためのインナーカバーを備え、前記インナーカバーと、前記ヒューズブロック及び前記コネクタブロックとに、相互を固定するための固定手段を備え、前記固定手段を介して、前記ヒューズブロックと前記コネクタブロックとを前記インナーカバーに固定したことを特徴とする。
【００１０】
上記１）に記載の発明によれば、印刷回路基板は、ヒューズブロックとコネクタブロックとに備えられた固定手段を介してインナーカバーに固定されることで、印刷回路基板とヒューズブロックとコネクタブロックとの組体が高い剛性を有するものとなる。これにより、バスバー等の剛体のない構造であっても、印刷回路基板に曲げ応力等のストレスが直接的にかからないので、安定した品質を得ることができる。
【００１１】
２）また、本発明に係るジャンクションブロックは、上記１）に記載したジャンクションブロックにおいて、前記固定手段が、Ｔ字形状またはＬ字形状の突起と、該突起に相似する孔と、からなるスライド係合部であることを特徴とする。
【００１２】
上記２）に記載の発明によれば、固定手段として、Ｔ字形状やＬ字形状の突起と、突起に相似する孔と、からなるスライド係合部を用いることで、ねじ止め等と比べて、相互の位置合わせを簡単に行うことができるとともに、ヒューズブロックとコネクタブロックとをインナーカバーに位置ずれすることなく固定することができる。
【００１３】
３）また、本発明に係るジャンクションブロックは、上記１）または上記２）に記載したジャンクションブロックにおいて、前記インナーカバーが、前記印刷回路基板に平行に配置された板部を備えており、前記固定手段が該板部の外縁部に配置されていることを特徴とする。
【００１４】
上記３）に記載の発明によれば、印刷回路基板とヒューズブロックとコネクタブロックとの組体は、インナーカバーの板部の外縁部に配置されている固定手段を介してインナーカバーに固定されることで、インナーカバーの板部に平行に配置される印刷回路基板から離れた位置で固定されることになり、インナーカバーに曲げ応力等のストレスがかかったとしても、印刷回路基板にそのストレスを直接与えないようにできる。
【発明の効果】
【００１５】
本発明のジャンクションブロックによれば、印刷回路基板にストレスがかかった際に印刷回路基板が破損する、という問題を解消でき、これにより、印刷回路基板にストレスを与えないようにすることで安定した品質を付与することができるという効果が得られる。
【発明を実施するための最良の形態】
【００１６】
以下、本発明に係る好適な実施の形態例を図面に基づいて詳細に説明する。
図１は本発明に係るジャンクションブロックの一実施形態の平面図、図２は図１に示すジャンクションブロックに用いられるインナーカバーの外観斜視図、図３は図２に示すインナーカバーの固定手段の外観斜視図、図４は図１に示すジャンクションブロックの組付け手順を説明する印刷回路基板へのコネクタブロック組付け前の外観斜視図、図５は図１に示すジャンクションブロックの組付け手順を説明する印刷回路基板への第１コネクタブロック組付け後の外観斜視図、図６は図１に示すジャンクションブロックの組付け手順を説明する印刷回路基板への第２コネクタブロック組付け後の外観斜視図、図７は図１に示すジャンクションブロックの組付け手順を説明する組体のインナーカバー組付け時の外観斜視図である。
【００１７】
図１に示すように、本発明の一実施形態であるジャンクションブロック１０は、印刷回路基板１１と、ヒューズブロック１２と、第１コネクタブロック１３と、第２コネクタブロック１４と、インナーカバー１５と、を備える。
【００１８】
印刷回路基板１１は、四角形の銅コア基板であって、図１に示す裏面上に不図示の分配配索回路が印刷されている。印刷回路基板１１は、図１中の上端側に、ヒューズブロック１２に有する複数のヒューズ端子１６が表面から挿通されたうえで分配配索回路に半田付けにより電気的に接続されている。
【００１９】
また、印刷回路基板１１は、図１中の右端側に、第１コネクタブロック１３に有する複数の第１コネクタ端子１７の回路基板接続側が表面から挿通されたうえで分配配索回路に半田付けにより電気的に接続されており、図１中の左端側に、第２コネクタブロック１４に有する複数の第２コネクタ端子１８の回路基板接続側が表面から挿通されたうえで分配配索回路に半田付けにより電気的に接続されている。
【００２０】
そして、印刷回路基板１１は、表面の図１中の上端部に、ヒューズブロック１２に有するヒューズホルダー１９がねじ２０によってねじ止めされ、同じく表面の図１中の右端部に、第１コネクタブロック１３に有する第１コネクタハウジング２１がねじ２０によってねじ止めされ、同じく表面の図１中の左端部に、第２コネクタブロック１４に有する第２コネクタハウジング２２がねじ２０によってねじ止めされている。
【００２１】
さらに、印刷回路基板１１は、表面の中央部に、不図示の電子素子が実装され、それらのリード部が表面から挿通されたうえで分配配索回路に半田付けにより電気的に接続されている。
【００２２】
ヒューズブロック１２は、ヒューズ端子１６が、上流側端子や下流側端子を備えており、これら上流側端子と下流側端子とが不図示のオートヒューズに直列に電気的に接続されている。上流側端子から供給された電流は、オートヒューズを通じて下流側端子に与えられ、分配配索回路を通じて第１コネクタ端子１７と第２コネクタ端子１８とに分配供給される。
【００２３】
ヒューズブロック１２のヒューズホルダー１９は、導電性のない樹脂製で図１中の上方を開口部とした箱形状に形成されており、ヒューズ端子１６を収容している。このヒューズホルダー１９には、第１コネクタハウジング２１側に、固定手段の一部を構成する第１係合突起２３が形成されている。第１係合突起２３は、Ｔ字形状に突出したスライド係合部である。
【００２４】
第１コネクタブロック１３の第１コネクタハウジング２１は、導電性のない樹脂製で図１中の右方を開口部とした箱形状に形成されており、第１コネクタ端子１７を収容している。第１コネクタ端子１７は、電気接続部側が負荷回路に接続される。この第１コネクタハウジング２１には、ヒューズホルダー１９側に、固定手段の他の一部を構成する第２係合突起２４が形成されており、反ヒューズホルダー１９側に、固定手段の他の一部を構成する第３係合突起２５が形成されている。第２係合突起２４は、Ｌ字形状に突出したスライド係合部であり、第３係合突起２５は、Ｔ字形状に突出したスライド係合部である。
【００２５】
第２コネクタブロック１４の第２コネクタハウジング２２は、導電性のない樹脂製で図１中の左方を開口部とした箱形状に形成されており、第２コネクタ端子１８を収容している。第２コネクタ端子１８は、電気接続部側が負荷回路に接続される。この第２コネクタハウジング２２には、反ヒューズホルダー１９側に、固定手段の他の一部を構成する第４係合突起２６が形成されている。第４係合突起２６は、Ｔ字形状に突出したスライド係合部である。
【００２６】
インナーカバー１５は、導電性のない樹脂製であって、印刷回路基板１１を中心にして、図１中の上方にねじ固定されているヒューズホルダー１９と、図１中の右方にねじ固定されている第１コネクタハウジング２１と、図１中の左方にねじ固定されている第２コネクタハウジング２２と、からなる組体２７の外形よりもわずかに大きい外形を有し、外側に一対の車体側固定部２８を突出している。
【００２７】
図２に示すように、インナーカバー１５は、中央部に予め定められた厚さ寸法を有する板部２９を備え、板部２９の四方の角部に箱形状に形成されたブロック部３０を備える。インナーカバー１５は、板部２９と４個のブロック部３０とにより、ある程度の高い剛性を有する剛体を構成している。
【００２８】
そして、インナーカバー１５は、４個のブロック部３０のうちの、ヒューズホルダー１９の第１係合突起２３に対応する図２中後方のブロック部３０の右側部に第１係合突起受３１が形成されており、第１コネクタハウジング２１の第２係合突起２４に対応する図２中後方のブロック部３０の前側部に第２係合突起受３２が形成されている。第１係合突起受３１は、Ｔ字状の孔形状をなすスライド係合部であり、第２係合突起受３２は、Ｌ字状の孔形状をなすスライド係合部である。
【００２９】
また、インナーカバー１５は、第１コネクタハウジング２１の第３係合突起２５に対応する図２中手前のブロック部３０の後側部に第３係合突起受３３が形成されており、第２コネクタハウジング２２の第４係合突起２６に対応する図２中左方のブロック部３０の後側部に第４係合突起受３４が形成されている。第３係合突起受３３は、Ｔ字状の孔形状をなすスライド係合部であり、第４係合突起受３４は、Ｔ字状の孔形状をなすスライド係合部である。
【００３０】
図３に示すように、第１係合突起受３１は、縦方向に開口を有するために、上方から第１係合突起２３を挿入することで、ヒューズホルダー１９をインナーカバー１５に位置決めして固定することができる。なお、第２係合突起受３２、第３係合突起受３３、第４係合突起受３４は、第１係合突起受３１と同様の構造であって同様の機能を有するために、それらの説明は省略する。
【００３１】
次に、図４〜図７を参照して、ジャンクションブロック１０の組付け手順について説明する。
【００３２】
図４に示すように、まず、印刷回路基板１１の表面からヒューズ端子１６が挿通されて印刷回路基板１１の裏面で分配配索回路に半田付けされ、ヒューズホルダー１９が印刷回路基板１１にねじ止めされる。
【００３３】
図５に示すように、次に、印刷回路基板１１の表面から第２コネクタ端子１８が挿通されて印刷回路基板１１の裏面で分配配索回路に半田付けされ、第２コネクタハウジング２２が印刷回路基板１１にねじ止めされる。
【００３４】
図６に示すように、続いて、印刷回路基板１１の表面から第１コネクタ端子１７が挿通されて印刷回路基板１１の裏面で分配配索回路に半田付けされ、第１コネクタハウジング２１が印刷回路基板１１にねじ止めされる。これにより、印刷回路基板１１を中心として、ヒューズホルダー１９と第１コネクタハウジング２１と第２コネクタハウジング２２とが外側にねじ固定された組体２７が組み立てられる。
【００３５】
そして、図７に示すように、図６に示した組体２７が表裏を裏返しにされてインナーカバー１５の上方から下降される。組体２７が下降されることで、ヒューズホルダー１９の第１係合突起２３がインナーカバー１５の第１係合突起受３１に、第１コネクタハウジング２１の第２係合突起２４がインナーカバー１５の第２係合突起受３２に、第１コネクタハウジング２１の第３係合突起２５がインナーカバー１５の第３係合突起受３３に、第２コネクタハウジング２２の第４係合突起２６がインナーカバー１５の第４係合突起受３４に、それぞれ挿入されていき、組体２７がインナーカバー１５に固定される。
【００３６】
このように、ジャンクションブロック１０は、組体２７の外側に配置されている各係合突起２３，２４，２５，２６が、インナーカバー１５の板部２９の外縁部に配置されている各係合突起受３１，３２，３３，３４にそれぞれ固定されることで、インナーカバー１５の板部２９に平行に配置されている印刷回路基板１１から離れた位置で固定される。そして、車体側固定部２８が、車体のエンジンルームや室内に固定され、ヒューズホルダー１９と第１コネクタハウジング２１と第２コネクタハウジング２２とに相手側コネクタがそれぞれ接続される。
【００３７】
上述したジャンクションブロック１０によれば、印刷回路基板１１がヒューズブロック１２とコネクタブロック１３，１４とに備えられた各係合突起２３，２４，２５，２６、各係合突起受３１，３２，３３，３４を介してインナーカバー１５に固定されることで、印刷回路基板１１とヒューズブロック１２とコネクタブロック１３，１４との組体２７が高い剛性を有するものとなる。これにより、バスバー等の剛体のない構造でありながら、印刷回路基板１１に曲げ応力等のストレスが直接的にかからないので、安定した品質を得ることができる。
【００３８】
また、ジャンクションブロック１０によれば、固定手段として、Ｔ字形状やＬ字形状の各係合突起２３，２４，２５，２６と、各係合突起２３，２４，２５，２６に相似する各係合突起受３１，３２，３３，３４と、からなるスライド係合部を用いることで、ねじ止め等と比べて、相互の位置合わせを簡単に行うことができる。また、ヒューズブロック１２とコネクタブロック１３，１４とをインナーカバー１５に位置ずれすることなく固定することができる。
【００３９】
また、ジャンクションブロック１０によれば、印刷回路基板１１とヒューズブロック１２とコネクタブロック１３，１４との組体２７が、インナーカバー１５の板部２９の外縁部に配置されている各係合突起受３１，３２，３３，３４を介してインナーカバー１５に固定されることで、インナーカバー１５の板部２９に平行に配置される印刷回路基板１１から離れた位置で固定されることになる。したがって、インナーカバー１５に曲げ応力等のストレスがかかったとしても、印刷回路基板１１にそのストレスを直接与えないようにできる。
【００４０】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４１】
例えば、固定手段の形状、個数は、成型の容易性を考慮して適宜設定されるのが好ましい。もちろん、形状は、図示したＴ字形状やＬ字形状が好ましい。
【図面の簡単な説明】
【００４２】
【図１】本発明に係るジャンクションブロックの一実施形態の平面図である。
【図２】図１に示したジャンクションブロックに用いられるインナーカバーの外観斜視図である。
【図３】図２に示したインナーカバーの固定手段の外観斜視図である。
【図４】図１に示したジャンクションブロックの組付け手順を説明する印刷回路基板へのコネクタブロック組付け前の外観斜視図である。
【図５】図１に示したジャンクションブロックの組付け手順を説明する印刷回路基板への第１コネクタブロック組付け後の外観斜視図である。
【図６】図１に示したジャンクションブロックの組付け手順を説明する印刷回路基板への第２コネクタブロック組付け後の外観斜視図である。
【図７】図１に示したジャンクションブロックの組付け手順を説明する組体のインナーカバー組付け時の外観斜視図である。
【図８】従来のジャンクションブロックの断面図である。
【符号の説明】
【００４３】
１０  ジャンクションブロック
１１  印刷回路基板
１２  ヒューズブロック
１３  第１コネクタブロック（コネクタブロック）
１４  第２コネクタブロック（コネクタブロック）
１５  インナーカバー
１７  第１コネクタ端子（コネクタ端子）
１８  第２コネクタ端子（コネクタ端子）
２３  第１係合突起（固定手段）
２４  第２係合突起（固定手段）
２５  第３係合突起（固定手段）
２６  第４係合突起（固定手段）
２７  組体
２９  板部
３１  第１係合突起受（固定手段）
３２  第２係合突起受（固定手段）
３３  第３係合突起受（固定手段）
３４  第４係合突起受（固定手段）
【図１】
2007295755.tif 000003
【図２】
2007295755.tif 000004
【図３】
2007295755.tif 000005
【図４】
2007295755.tif 000006
【図５】
2007295755.tif 000007
【図６】
2007295755.tif 000008
【図７】
2007295755.tif 000009
【図８】
2007295755.tif 000010